(57)【要約】【課題】予め形成されるスリットを用い、原紙その他のシート体の成形品形成個所を絞り成形して厚み方向に湾曲した立体形状とし、該成形品形成個所の外周に沿って打ち抜いてなるシート体を用いた成型品およびその成形方法に関する。【解決手段】原紙などのシート体の成形品形成個所を絞り成形して厚み方向に湾曲した立体形状とし、該成形品形成個所の外周に沿って打ち抜いてなる成形品において、１枚のシート体から複数個の成形品を形成する際に、シート体上で隣接する成形品形成個所の間に予めスリットを形成し、絞り成形してなることを特徴とする。【選択図】図１
2005304843.tif 000002
【特許請求の範囲】
【請求項１】
可撓性を有するシート体の成形品形成個所を絞り成形して厚み方向に湾曲した立体形状に塑性変形させ、該成形品形成個所の外周に沿って打ち抜いてなるシート体を用いた成型品の成形方法において、
１枚のシート体から複数個の成形品を形成する際に、シート体上で隣接する成形品形成個所の間に予めスリットを形成しておき、絞り成形してなることを特徴とするシート体を用いた成型品の成形方法。
【請求項２】
スリットが、隣接する成形品形成個所と略等間隔の位置となるように、隣接する成形品形成個所の間のほぼ中央に形成されていることを特徴とする請求項１に記載のシート体を用いた成型品の成形方法。
【請求項３】
隣接する成形品形成個所の間に、絞り成形した際に平行する直線部分と、一方が他方側へ張り出す部分とがある際に、スリットが、前記直線部分に沿ってほぼ直線状に形成される本体部分と、その端部を前記張り出す部分に沿って曲げる延出部分とからなることを特徴とする請求項１または２に記載のシート体を用いた成型品の成形方法。
【請求項４】
シート体を用いた成形品が厚み方向に湾曲して長手方向に延びるリブを有する柄部と、該柄部に連接し左右両側に幅広に張り出すと共に厚み方向に湾曲した掬い部とからなるスプーンであって、
１枚のシート体から複数個のスプーンを形成する際に、シート体上で複数の隣接するスプーン形成個所の間に予めスリットを形成し、該スリットが前記柄部に沿って直線状の本体部分を形成すると共に、その端部を掬い部に沿って曲げた延出部分を形成しており、次いで絞り成形してなることを特徴とするシート体を用いた成型品の成形方法。
【請求項５】
シート体の成形品形成個所を絞り成形して厚み方向に湾曲した立体形状とし、該成形品形成個所の外周に沿って打ち抜いてなるシート体を用いた成型品において、
１枚のシート体から複数個の成形品を形成する際に、シート体上で隣接する成形品形成個所の間に予めスリットを形成し、絞り成形してなることを特徴とするシート体を用いた成型品。
【請求項６】
シート体を用いた成形品が厚み方向に湾曲して長手方向に延びるリブを有する柄部と、該柄部に連接し左右両側に幅広に張り出すと共に厚み方向に湾曲した掬い部とからなるスプーンであって、前記リブの周囲に柄部用フランジを形成し、前記リブと掬い部との連設部分に補強用フランジを形成してなることを特徴とする請求項５に記載のシート体を用いた成型品。
【発明の詳細な説明】
【技術分野】
【０００１】
本発明は、予め形成したスリットを用い、シート体の成形品形成個所を絞り成形して厚み方向に湾曲した立体形状とし、該成形品形成個所の外周に沿って打ち抜いてなる紙製成形方法およびその成形品に関するものである。
【背景技術】
【０００２】
従来、紙スプーンは板紙製であり、その成形方法は外周を打ち抜くと同時に、中央部にＹ形のミシン目を入れている（実用新案登録第３０３２１９２号など）。
このミシン目は消費者が使用時に折り曲げて、スプーン形状にして用いる為のものであり、主にハードタイプヨーグルトやコーヒーに使用されている。
上記の従来の紙スプーンは、板紙を打ち抜く成形方法のため、掬い部（つぼ）の部分が厚み方向に湾曲せず平面になる。
従ってソフトタイプヨーグルトなどの流動性の高い食品は、掬っても流れ落ちてしまい、食べにくいという問題がある。
また、ミシン目を折り曲げる使用方法は、消費者にとって手間がかかり、また特に高齢者や外国籍者にとっては折り方が分からず、ミシン目に沿って折り曲げる事に気付かないという問題も発生する。
そこで、紙製スプーンを絞り成形することが考えられる。
絞り成形とは凹凸を有した金型に原紙などを挟み、荷重・温度などをかけて、紙を絞って金型形状に加工する方法である。
この成形方法により、従来は平面であった紙スプーンを任意に湾曲させ、本来のスプーンと同様の立体形状に成形することが可能となる。
しかし、生産効率を高めるため、１枚の原紙から複数個のスプーンを絞り成形する場合に、隣接するスプーン間でお互いに原紙を引き込み合ってしまうため、破れが発生しやすいという不具合が生じる。
このことは、スプーンに限らず、絞り成形による立体形状のシート体を用いた成型品に共通の問題といえる。
【０００３】
【特許文献１】実用新案登録第３０３２１９２号公報
【発明の開示】
【発明が解決しようとする課題】
【０００４】
この発明は、上記事情に鑑みて創案されたものであって、１枚のシート体上で複数個のシート体を用いた成型品を成形する際に、隣接する成形品形成個所の間に予めスリットを形成してから絞り成形することで、シート体の引き込みが容易になり、破れを防止することができるシート体を用いた成型品およびその製造方法を提供することにある。
【課題を解決するための手段】
【０００５】
上記課題を解決するため、請求項１のシート体を用いた成型品の成形方法の発明では、
可撓性を有するシート体の成形品形成個所を絞り成形して厚み方向に湾曲した立体形状とし、該成形品形成個所の外周に沿って打ち抜いてなるシート体を用いた成型品の成形方法において、
１枚のシート体から複数個の成形品を形成する際に、シート体上で隣接する成形品形成個所の間に予めスリットを形成しておき、絞り成形してなることを特徴とする。
ここで、シート体は、可撓性を有し、絞り成形加工によって塑性変形するシート状の素材であればよく、例えば紙、合成紙、不織布その他前記性質を有する素材をいう。
また、請求項２の発明では、
前記スリットが、隣接する成形品形成個所と略等間隔の位置となるように、隣接する成形品形成個所の間のほぼ中央に形成されていることを特徴とする。
更に、請求項３の発明では、
隣接する成形品形成個所の間に、絞り成形した際に平行する直線部分と、一方が他方側へ張り出す部分とがある際に、スリットが、前記直線部分に沿ってほぼ直線状に形成される本体部分と、その端部を前記張り出す部分に沿って曲げる延出部分とからなることを特徴とする。
また、請求項４の発明では、
前記シート体を用いた成型品が厚み方向に湾曲して長手方向に延びるリブを有する柄部と、該柄部に連接し左右両側に幅広に張り出すと共に厚み方向に湾曲した掬い部とからなるスプーンであって、
１枚のシート体から複数個のスプーンを形成する際に、シート体上で交互に逆向きに配置した複数の隣接するスプーン形成個所の間に予めスリットを形成し、該スリットが前記柄部に沿って直線状の本体部分を形成すると共に、その端部を掬い部に沿って曲げた延出部分を形成しており、次いで絞り成形してなることを特徴とする。
【０００６】
次ぎに、請求項５のシート体を用いた成型品の発明では、
シート体の成形品形成個所を絞り成形して厚み方向に湾曲した立体形状とし、該成形品形成個所の外周に沿って打ち抜いてなるシート体を用いた成型品において、
１枚のシート体から複数個の成形品を形成する際に、シート体上で隣接する成形品形成個所の間に予めスリットを形成し、絞り成形してなることを特徴とする。
また、請求項６の発明では、
前記シート体を用いた成型品が厚み方向に湾曲して長手方向に延びるリブを有する柄部と、該柄部に連接し左右両側に幅広に張り出すと共に厚み方向に湾曲した掬い部とからなるスプーンであって、前記リブの周囲に柄部用フランジを形成し、前記リブと掬い部との連設部分に補強用フランジを形成してなることを特徴とする。
【発明の効果】
【０００７】
可撓性を有するシート体に、絞り成形する前に予めスリットを形成しておくことで、絞り成形によって塑性変形させてもひび割れなど生ずることなく、１枚のシート体から複数の立体的な成形品を成形することができる。
また、シート体を用いた成型品としてスプーンを成形することができ、スプーンの掬い部（つぼ）を厚み方向に湾曲したスプーン形状に加工することが可能となり、流動性の高い食品も容易に掬えるようになる。
また、絞り成形後は完成した立体形状の製品形状になるため、消費者が紙を折り曲げる作業も必要無い。
そして、１枚のシート体から複数のスプーンその他の立体形状の成形品を製造することができるので、原料の無駄を省き、製品化率の大幅な向上を図ることができる。
【発明を実施するための最良の形態】
【０００８】
以下に、この発明のシート体を用いた成型品を、原紙を用いたスプーンに適用した場合の製品およびその製造方法の好適実施例について図面を参照しながら説明する。
【実施例１】
【０００９】
本実施例でシート体の一例として示す原紙１０は、坪量約４００ｇ／ｍ２ の紙器用板紙を用いているが、この素材に限定されない。
スプーン１は、図４に示すように、厚み方向に断面略Ｕ字状に湾曲して長手方向に延びるリブ２を有する柄部３と、該柄部３に連接すると共に左右両側に幅広に張り出すと共に、厚み方向に湾曲した掬い部（つぼ）５とからなっている。
また、前記リブ２の周囲に沿って柄部用フランジ４を形成しており、また前記柄部用フランジ４の延長上で、前記リブ２と掬い部５との連設部分６にやや幅広の補強用フランジ７を形成している。
【００１０】
ここで、柄部３に形成されたリブ２は柄部３の強度を補強するものであり、柄部３と掬い部５との連設部分６に形成された補強用フランジ７は、連設部分６の強度を高めるものである。
補強用フランジ７は幅広に形成することで掬い部５が補強されるので、スプーン１の使用目的や寸法によってその面積を適宜に調節して設計することができる。
【００１１】
このスプーン１は、１枚の原紙１０から複数個を型取りして成形することで生産効率を高めることができる。
この実施例では、図２に示すように、交互に逆向きになるようにスプーン形成個所２０を並列で等間隔に配置し、隣接するスプーン形成個所２０、２０の間隔Ｓのほぼ中央を通るように図１に示すスリット１１が予め形成される。
【００１２】
このスリット１１は、スプーン１の立体形状を絞り成形する際の原紙１０の引き込み量に対応して、その形状が設計される。
スプーン形成個所２０の絞りが浅い場合や、隣接するスプーン形成個所２０、２０の間隔が広い場合には、引き込み量が少ないので、原紙１０上に形成された貫通しない裂け目であってもよいが、絞りが深い場合や、隣接する成形品形成個所の間隔が狭い場合は、貫通する切れ目とすることが好ましい。
従って、この発明でスリットとは、切れ目だけでなく、裂け目も含まれるものである。
【００１３】
図３に示すスリット１１は、隣接するスプーン形成個所２０の柄部３に対応する個所に沿って直線状に形成した場合を示す。
この場合、一方のスプーン形成個所の掬い部５の基端側と、他方のスプーン形成個所の柄部３の柄尻部分３ａとが近接しており、また掬い部５が大きく絞られるので、スリット１１の端部にひび割れが発生する場合があり、場合によっては製品部分にまでひび割れが到達する可能性もある。
【００１４】
そこで、このような場合には、前記スリット１１の端部を延長し、掬い部５と柄部３の柄尻との間を通り、柄尻部分を超える位置まで曲げて延出する部分を形成すれば前記ひび割れが生じることが無くなる。
即ち、図２の場合、スリット１１は、直線状の本体部分１１ａと延出部１１ｂとからなり、本体部分１１ａから曲線で曲がって延出部１１ｂが連なっている。
【００１５】
また、延出部１１ｂの先端は、それぞれの柄尻３ａを超える位置まで延びている。
このようなスリット１１を用いて絞り成形し、型抜きして得られたスプーン１の紙質調査の結果、紙製コップの場合と比較して、スプーンとして十分な品質を有することが確認された。
【００１６】
上記実施例では、スプーン形状を基に説明したが、この発明はスプーンに限らず、立体形状の成形品（図示せず）に広く適用することができる。
その場合にも、前記スプーンの成形方法と同様の構成が用いられる。
即ち、スリット１１は、原紙１０を貫通する切れ目だけでなく、成形品の絞りが浅い場合や、隣接する成形品形成個所の間隔が広い場合には、原紙１０の厚み方向の中途位置までカットする裂け目であってもよい。
【００１７】
また、絞りがやや深い場合や、間隔がやや狭い場合は、スリット１１は貫通する切れ目とするが、成形品の中途位置まで延びるものでもよい。
更に、絞りが深い場合や、間隔が狭い場合は、スリット１１を貫通する切れ目とし、端部が成形品形成個所の輪郭と離れるように曲がるよう延出部分を設ける形状とする。
【００１８】
スリット１１の曲がる部分は直線状に折れ曲がっても良いが、曲線であることが好ましい。
更に、スリット１１は、成形品形成個所の一方、または双方の端部を超えて延びるものとすることが好ましい。
上記実施例では、シート体として紙を用いたが、この発明では、その他可撓性を有するシートで絞り成形によって塑性変形する素材であればよく、例えば合成紙や、不織布などを用いることもできる。
【産業上の利用可能性】
【００１９】
この発明は、絞り成形によって立体的な成形品を成形するので、衛生面で優れており、スプーンその他の食器類に好適であるが、その他、種々の用途の物に適用することができる。
【図面の簡単な説明】
【００２０】
【図１】原紙に予めスリットを形成した状態の平面図である。
【図２】スリットと４個取りのスプーン形成個所との位置関係を示す平面図である。
【図３】スリットを直線状とした場合の平面図である。
【図４】シート体を用いた成型品としてのスプーンの斜視図である。
【符号の説明】
【００２１】
１    スプーン
２    リブ
３    柄部
３ａ  柄尻
４    柄部用フランジ
５    掬い部
６    連設部分
７    補強用フランジ
１０    原紙
１１    スリット
１１ａ  本体部分
１１ｂ  延出部分
２０    スプーン形成個所
【図１】
2005304843.tif 000003
【図２】
2005304843.tif 000004
【図３】
2005304843.tif 000005
【図４】
2005304843.tif 000006